(57)【要約】  スクロール圧縮機１００は、圧縮機構部１０１と、電動機構部１０２と、回転子１１の下端部に設けられた第２バランスウェイト１３と、を備え、回転子１１及び第２バランスウェイト１３は、回転子１１及び第２バランスウェイト１３を軸方向に貫通するリベット３３によって互いに締結されており、回転子１１は、内周側にカウンターボア３２が形成されたカウンターボア部３１ｃを下端部に有しており、カウンターボア部３１ｃは、主軸８が挿入される貫通孔３６と、貫通孔３６の内周面のうち周方向の一部に設けられて主軸８が焼き嵌められる焼嵌め部３７ａ、３７ｂと、を備えており、焼嵌め部３７ａ、３７ｂは、主軸８の中心軸Ｃを基準として、第２バランスウェイト１３の遠心力方向及び反遠心力方向に配置されており、カウンターボア部３１ｃは、主軸８の中心軸Ｃに対して第２バランスウェイト１３の遠心力方向に偏心しているものである。
2016120982.tif 000002
【特許請求の範囲】
【請求項１】
流体を圧縮する圧縮機構部と、
前記圧縮機構部を駆動する主軸が焼嵌め固定された回転子と、前記回転子の外周側に配置された固定子と、を有する電動機構部と、
前記回転子の軸方向一端部に設けられたバランスウェイトと、
を備え、
前記回転子は、積層鋼板を用いて形成されており、
前記回転子及び前記バランスウェイトは、前記回転子及び前記バランスウェイトを軸方向に貫通する締結部材によって互いに締結されており、
前記回転子は、内周側にカウンターボアが形成されたカウンターボア部を、少なくとも前記軸方向一端部に有しており、
前記カウンターボア部は、前記主軸が挿入される貫通孔と、前記貫通孔の内周面のうち周方向の一部に設けられて前記主軸が焼き嵌められる焼嵌め部と、を備えており、
前記焼嵌め部は、前記主軸の中心軸を基準として、前記バランスウェイトの遠心力方向及び反遠心力方向に配置されており、
前記カウンターボア部は、前記主軸の中心軸に対して前記バランスウェイトの遠心力方向に偏心している電動圧縮機。
【請求項２】
前記カウンターボア部は、前記主軸の中心軸を通り前記バランスウェイトの遠心力方向に平行な平面に対して、対称な形状を有している請求項１に記載の電動圧縮機。
【請求項３】
前記カウンターボア部の偏心量は、前記バランスウェイトとの距離が近づくほど大きくなる請求項１又は請求項２に記載の電動圧縮機。
【発明の詳細な説明】
【技術分野】
【０００１】
本発明は、電動圧縮機に関するものである。
【背景技術】
【０００２】
特許文献１には、圧縮機構部と、回転子及び固定子を備える電動要素部と、を有する密閉型回転圧縮機が記載されている。この密閉型回転圧縮機では、回転子の下部にカウンターボアが形成されている。また、回転子の下端には、バランスウェイトが設けられている。
【先行技術文献】
【特許文献】
【０００３】
【特許文献１】特開２００２−８９４７６号公報
【発明の概要】
【発明が解決しようとする課題】
【０００４】
一般に、回転子を構成する積層鋼板とバランスウェイトとは、これらを軸方向に貫通するリベットを用いて互いに締結される。しかしながら、カウンターボアが形成された圧縮機では、特に高速運転時において、バランスウェイトの遠心力により、カウンターボアにおける回転子コアの内径と主軸の外径との間の隙間分だけリベットの変形（例えば、反り）が生じてしまう場合がある。したがって、リベットの強度の信頼性が低下する場合があるため、圧縮機の信頼性が低下してしまうおそれがあるという問題点があった。【０００５】
本発明は、上述のような問題点を解決するためになされたものであり、信頼性を向上させることができる電動圧縮機を提供することを目的とする。
【課題を解決するための手段】
【０００６】
本発明に係る電動圧縮機は、流体を圧縮する圧縮機構部と、前記圧縮機構部を駆動する主軸が焼嵌め固定された回転子と、前記回転子の外周側に配置された固定子と、を有する電動機構部と、前記回転子の軸方向一端部に設けられたバランスウェイトと、を備え、前記回転子は、積層鋼板を用いて形成されており、前記回転子及び前記バランスウェイトは、前記回転子及び前記バランスウェイトを軸方向に貫通する締結部材によって互いに締結されており、前記回転子は、内周側にカウンターボアが形成されたカウンターボア部を、少なくとも前記軸方向一端部に有しており、前記カウンターボア部は、前記主軸が挿入される貫通孔と、前記貫通孔の内周面のうち周方向の一部に設けられて前記主軸が焼き嵌められる焼嵌め部と、を備えており、前記焼嵌め部は、前記主軸の中心軸を基準として、前記バランスウェイトの遠心力方向及び反遠心力方向に配置されており、前記カウンターボア部は、前記主軸の中心軸に対して前記バランスウェイトの遠心力方向に偏心しているものである。
【発明の効果】
【０００７】
本発明によれば、バランスウェイトの遠心力によるリベットの変形を防ぐことができるため、電動圧縮機の信頼性を向上させることができる。
【図面の簡単な説明】
【０００８】
【図１】本発明の実施の形態１に係る電動圧縮機の概略構成を示す断面図である。
【図２】本発明の実施の形態１に係る電動圧縮機の回転子１１及び主軸８の要部の構成を示す断面図である。
【図３】本発明の実施の形態１に係る電動圧縮機における回転子コア３１のカウンターボア部３１ｃを構成する鋼板の平面形状を示す図である。
【図４】本発明の実施の形態２に係る電動圧縮機における回転子コア３１のカウンターボア部３１ｃを構成する鋼板の平面形状を示す図である。
【発明を実施するための形態】
【０００９】
実施の形態１．
本発明の実施の形態１に係る電動圧縮機について説明する。図１は、本実施の形態に係る電動圧縮機の概略構成を示す断面図である。電動圧縮機は、例えば冷蔵庫、冷凍庫、自動販売機、空気調和装置、冷凍装置、給湯器等の各種産業機械に用いられる冷凍サイクルの構成要素の１つとなるものである。本実施の形態では、電動圧縮機としてスクロール圧縮機１００を例示している。なお、図１を含む以下の図面では、各構成部材の寸法の関係や形状等が実際のものとは異なる場合がある。また、以下の説明における各構成部材同士の位置関係（例えば、上下関係等）は、原則として、電動圧縮機を使用可能な状態に設置したときのものである。
【００１０】
スクロール圧縮機１００は、冷凍サイクルを循環する冷媒（流体の一例）を吸入し、圧縮して高温高圧の状態として吐出するものである。スクロール圧縮機１００は、冷媒を圧縮する圧縮機構部１０１と、圧縮機構部１０１を駆動する電動機構部１０２と、圧縮機構部１０１及び電動機構部１０２を収容する密閉容器２３と、を有している。密閉容器２３内において、圧縮機構部１０１は上方に配置されており、電動機構部１０２は圧縮機構部１０１よりも下方に配置されている。
【００１１】
密閉容器２３は、センターシェル７と、センターシェル７の上部に設けられたアッパーシェル２１と、センターシェル７の下部に設けられたロアシェル２２と、により構成されている。ロアシェル２２は、潤滑油を貯留する油溜めとなっている。センターシェル７には、冷媒ガスを吸入するための吸入パイプ１４が接続されている。アッパーシェル２１には、冷媒ガスを吐出するための吐出パイプ１６が接続されている。なお、センターシェル７内部は低圧室１７に、アッパーシェル２１内部は高圧室１８になっている。
【００１２】
圧縮機構部１０１は、密閉容器２３に対して固定された固定スクロール１と、固定スクロール１に対して揺動する揺動スクロール２と、が組み合わされた構成を有している。固定スクロール１は、固定スクロール台板１ｂと、固定スクロール台板１ｂの一方の面に立設された渦巻状突起である固定スクロール渦巻１ａと、で構成されている。また、揺動スクロール２は、揺動スクロール台板２ｂと、揺動スクロール台板２ｂの一方の面に立設され、固定スクロール渦巻１ａと実質的に同一形状の渦巻状突起である揺動スクロール渦巻２ａと、で構成されている。なお、揺動スクロール台板２ｂの他方の面（揺動スクロール渦巻２ａの形成面とは反対側の面）は、揺動スクロールスラスト軸受面２ｃとして作用する。揺動スクロール２及び固定スクロール１は、冷媒吸入口を有したフレーム１９に収納されている。
【００１３】
揺動スクロール２は、圧縮機運転中に生じるスラスト軸受荷重が揺動スクロールスラスト軸受面２ｃを介してフレーム１９で支持されるようになっている。フレーム１９と揺動スクロールスラスト軸受面２ｃとの間には、摺動性を向上させるためにスラストプレート３が配置されている。
【００１４】
揺動スクロール２及び固定スクロール１は、揺動スクロール渦巻２ａと固定スクロール渦巻１ａとを互いに組み合わせた状態で、密閉容器２３内に装着されている。揺動スクロール２及び固定スクロール１が組み合わされた状態では、固定スクロール渦巻１ａと揺動スクロール渦巻２ａの巻方向が互いに逆となる。揺動スクロール渦巻２ａと固定スクロール渦巻１ａとの間には、相対的に容積が変化する圧縮室２４が形成される。固定スクロール渦巻１ａ及び揺動スクロール渦巻２ａの先端面からの冷媒漏れを低減するため、固定スクロール渦巻１ａの下端面及び揺動スクロール渦巻２ａの上端面には、それぞれシール２５、２６が配設されている。
【００１５】
固定スクロール１は、ボルト等によってフレーム１９に固定されている。固定スクロール１の固定スクロール台板１ｂの中央部には、圧縮されて高圧となった冷媒ガスを吐出する吐出口１５が形成されている。吐出口１５には、冷媒の逆流を防止する吐出弁２７が設けられている。圧縮されて高圧となった冷媒ガスは、固定スクロール１の上部に設けられている高圧室１８に吐出口１５を介して排出されるようになっている。高圧室１８に排出された冷媒ガスは、吐出パイプ１６を介して冷凍サイクルに吐出されることになる。
【００１６】
揺動スクロール２は、自転運動を阻止し、公転させるオルダムリング６の備えにより、固定スクロール１に対して自転運動することなく公転運動を行う。また、揺動スクロール２の揺動スクロール渦巻２ａ形成面とは反対側の面の略中心部には、中空円筒形状のボス部２ｄが形成されている。このボス部２ｄには、主軸８の上端に設けられた偏心軸部８ａが挿入される。
【００１７】
オルダムリング６は、フレーム１９と揺動スクロール２との間に配置される。フレーム１９には一対のオルダムキー溝５が形成されており、揺動スクロール２には一対のオルダムキー溝４が形成されている。オルダムリング６は、リング部６ａと、リング部６ａの上面に形成された一対のオルダムキー６ｂと、リング部６ａの下面に形成された一対のオルダムキー６ｃと、を有している。オルダムキー６ｂは揺動スクロール２のオルダムキー溝４に挿入されており、オルダムキー６ｃはフレーム１９のオルダムキー溝５に挿入されている。オルダムリング６は、潤滑材で満たされた各オルダムキー溝４、５内の摺動面上でオルダムキー６ｂ、６ｃを進退させながら、電動機構部１０２の回転力を揺動スクロール２に伝達する。
【００１８】
電動機構部１０２は、回転子１１と、回転子１１の外周側に配置された固定子１０と、回転子１１に焼嵌め固定された主軸８と、を有している。固定子１０は、センターシェル７の内周に焼嵌め固定されている。固定子１０には、センターシェル７に設けられた電源端子９を介して電力が供給されるようになっている。回転子１１の内周には、主軸８が焼嵌め固定されている。回転子１１は、固定子１０に通電されることにより回転駆動し、主軸８を回転させるようになっている。すなわち、固定子１０及び回転子１１で電動回転機械を構成している。
【００１９】
主軸８は、回転子１１の回転に伴って回転し、揺動スクロール２を公転させるようになっている。この主軸８の上部（偏心軸部８ａ近傍）は、フレーム１９に設けられた主軸受２０によって回転自在に支持されている。一方、主軸８の下部は、副軸受２９によって回転自在に支持されている。この副軸受２９は、密閉容器２３の下部に設けられたサブフレーム２８の中央部に形成された軸受収納部に圧入固定されている。また、サブフレーム２８には、容積型のオイルポンプ３０が設けられている。このオイルポンプ３０で吸引された潤滑油は、主軸８の内部に形成された油供給穴３４を介して各摺動部に供給される。
【００２０】
また、主軸８のうち回転子１１よりも上方には、第１バランスウェイト１２が設けられている。回転子１１の下端には、第２バランスウェイト１３が設けられている。第１バランスウェイト１２及び第２バランスウェイト１３は、揺動スクロール２が偏心軸部８ａに装着されて揺動することにより生じるアンバランスを相殺するために設けられている。第１バランスウェイト１２は主軸８の上部に焼嵌めによって固定されており、第２バランスウェイト１３は回転子１１の下部に回転子１１と一体的に固定されている。
【００２１】
次に、スクロール圧縮機１００の動作について説明する。
電源端子９に通電すると、固定子１０の電線部に電流が流れ、磁界が発生する。この磁界は、回転子１１を回転させるように働く。つまり、固定子１０と回転子１１にトルクが発生し、回転子１１が回転する。回転子１１が回転すると、それに伴い主軸８が回転駆動される。主軸８が回転駆動されると、オルダムリング６の備えにより自転を抑制された揺動スクロール２は、公転運動を行う。
【００２２】
回転子１１が回転するとき、主軸８の上部に固定されている第１バランスウェイト１２と、回転子１１の下部に固定されている第２バランスウェイト１３とで、揺動スクロール２の偏心公転運動に対するバランスを保っている。これにより、主軸８の上部に偏心支持され、オルダムリング６により自転を抑制された揺動スクロール２が公転運動を開始し、公知の圧縮原理により冷媒が圧縮される。
【００２３】
これにより、冷媒ガスの一部はフレーム１９の冷媒吸入口を介して圧縮室２４内へ流れ、吸入過程が開始される。また、冷媒ガスの残りの一部は、固定子１０の鋼板の切り欠き（図示せず）を通って、電動回転機械及び潤滑油を冷却する。圧縮室２４は、揺動スクロール２の公転運動により、揺動スクロール２の中心へ移動しつつ容積が縮小される。この工程により、圧縮室２４に吸入された冷媒ガスは圧縮されていく。圧縮された冷媒ガスは、固定スクロール１の吐出口１５を通り、吐出弁２７を押し開けて高圧室１８に流入する。そして、冷媒ガスは吐出パイプ１６を介して密閉容器２３から吐出される。
【００２４】
圧縮室２４内の冷媒ガスの圧力により発生するスラスト軸受荷重は、揺動スクロールスラスト軸受面２ｃを支持するフレーム１９で受けている。また、主軸８が回転することで第１バランスウェイト１２及び第２バランスウェイト１３に生じる遠心力と冷媒ガス荷重とは、主軸受２０及び副軸受２９で受けている。なお、低圧室１７内の低圧冷媒ガスと高圧室１８内の高圧冷媒ガスとは、固定スクロール１及びフレーム１９により仕切られ、気密が保たれる。固定子１０への通電を止めると、スクロール圧縮機１００が運転を停止する。
【００２５】
図２は、回転子１１及び主軸８の要部の構成を示す断面図である。図２に示すように、回転子１１は、積層鋼板により形成された回転子コア３１を有している。回転子コア３１の下端部のうちの周方向の一部には、第２バランスウェイト１３が設けられている。回転子コア３１及び第２バランスウェイト１３は、リベット３３（締結部材の一例）によって締結されている。リベット３３の胴部は回転子コア３１及び第２バランスウェイト１３を軸方向に貫通しており、リベット３３の先端部はかしめられている。
【００２６】
回転子コア３１の上端部及び下端部における内周側には、焼嵌め性を向上させるためにカウンターボア３２が形成されている。これにより、回転子コア３１は、軸方向において、全周に亘って主軸８が焼き嵌められるコア部３１ａと、カウンターボア３２が形成されたカウンターボア部３１ｂ、３１ｃと、を有する。カウンターボア部３１ｂは、回転子コア３１の上端部側（すなわち、第２バランスウェイト１３が設けられていない端部側）に配置されている。カウンターボア部３１ｃは、回転子コア３１の下端部側（すなわち、第２バランスウェイト１３が設けられた端部側）に配置されている。本実施の形態では、第２バランスウェイト１３が設けられた端部側のカウンターボア部３１ｃは、以下のような構成を有している。
【００２７】
図３は、回転子コア３１のカウンターボア部３１ｃを構成する鋼板（回転子コア板３５）の平面形状を示す図である。図３では、主軸８の中心軸Ｃを原点とし、第２バランスウェイト１３の遠心力方向を正として当該遠心力方向に平行な方向にＸ軸をとり、Ｘ軸に直交する方向にＹ軸をとっている。すなわち、図３において、第２バランスウェイト１３の遠心力方向は＋Ｘ方向である。
【００２８】
図３に示すように、回転子コア板３５の中心部には、主軸８が挿入される貫通孔３６が形成されている。通常、カウンターボア部３１ｃは主軸８に焼き嵌められないため、貫通孔３６の内径は主軸８の外径よりも大きくなっている。しかしながら、本実施の形態では、貫通孔３６の内周面のうち周方向の一部には、主軸８に焼き嵌められる焼嵌め部３７ａ、３７ｂが設けられている。焼嵌め部３７ａ、３７ｂは、回転子コア板３５において、貫通孔３６の内周面から中心軸Ｃ側に突出した形状を有する。焼嵌め部３７ａ、３７ｂの形成された部分以外の貫通孔３６の内径は、主軸８の外径よりも大きくなっている。
【００２９】
焼嵌め部３７ａは、貫通孔３６の内周面において、中心軸Ｃを基準として第２バランスウェイト１３の遠心力方向（＋Ｘ方向）となる位置に設けられている。焼嵌め部３７ｂは、貫通孔３６の内周面において、中心軸Ｃを基準として第２バランスウェイト１３の反遠心力方向（−Ｘ方向）となる位置に設けられている。
【００３０】
また、回転子コア板３５には、貫通孔３６の内周面から外周側に向かって扇形状に切り欠かれた２つの切欠き部３８ａ、３８ｂが形成されている。切欠き部３８ａは、中心軸Ｃを基準として−Ｘ方向かつ＋Ｙ方向となる部分に形成されている。切欠き部３８ｂは、中心軸Ｃを基準として−Ｘ方向かつ−Ｙ方向となる部分に形成されている。切欠き部３８ａ、３８ｂは、中心軸Ｃを通り第２バランスウェイト１３の遠心力方向に平行な平面（図３では、中心軸Ｃ及びＸ軸を含む平面）に対して、対称な形状を有している。回転子コア板３５（すなわち、カウンターボア部３１ｃ）の全体としても、中心軸Ｃを通り第２バランスウェイト１３の遠心力方向に平行な平面に対して対称な形状を有している。これにより、カウンターボア部３１ｃを構成する回転子コア板３５は、中心軸Ｃに対して第２バランスウェイト１３の遠心力方向に偏心している。回転子コア板３５の重心は、中心軸Ｃから＋Ｘ方向にずれたＸ軸上に位置する。
【００３１】
以上説明したように、本実施の形態に係るスクロール圧縮機１００は、流体を圧縮する圧縮機構部１０１と、圧縮機構部１０１を駆動する主軸８が焼嵌め固定された回転子１１と、回転子１１の外周側に配置された固定子１０と、を有する電動機構部１０２と、回転子１１の軸方向一端部（本例では、下端部）に設けられた第２バランスウェイト１３と、を備え、回転子１１は、積層鋼板を用いて形成されており、回転子１１及び第２バランスウェイト１３は、回転子１１及び第２バランスウェイト１３を軸方向に貫通するリベット３３によって互いに締結されており、回転子１１は、内周側にカウンターボア３２が形成されたカウンターボア部３１ｃを、少なくとも軸方向一端部（本例では、下端部）に有しており、カウンターボア部３１ｃは、主軸８が挿入される貫通孔３６と、貫通孔３６の内周面のうち周方向の一部に設けられて主軸８が焼き嵌められる焼嵌め部３７ａ、３７ｂと、を備えており、焼嵌め部３７ａ、３７ｂは、主軸８の中心軸Ｃを基準として、第２バランスウェイト１３の遠心力方向及び反遠心力方向に配置されており、カウンターボア部３１ｃは、主軸８の中心軸Ｃに対して第２バランスウェイト１３の遠心力方向に偏心しているものである。
【００３２】
この構成によれば、回転子１１のカウンターボア部３１ｃのうち焼嵌め部３７ａ、３７ｂにおいて、主軸８を焼き嵌めることができる。これにより、カウンターボア部３１ｃにおいて、第２バランスウェイト１３の遠心力方向には、回転子１１の内周面と主軸８の外周面との間に隙間が生じないようにすることができる。このため、第２バランスウェイト１３の遠心力によるリベット３３の変形（例えば、反り）を防止することができる。したがって、本実施の形態によれば、リベット３３の強度の信頼性を向上させることができるため、スクロール圧縮機１００の信頼性、特に、高速運転時のスクロール圧縮機１００の信頼性を向上させることができる。
【００３３】
また、カウンターボア部３１ｃを第２バランスウェイト１３の遠心力方向に偏心させて形成することによって、第２バランスウェイト１３を小型化及び軽量化することができる。一般に、回転子１１は、第２バランスウェイト１３と一体化された状態で主軸８に焼き嵌められる。このため、焼嵌め時に回転子１１を加熱する際、第２バランスウェイト１３に熱量を奪われることにより、第２バランスウェイト１３に近い側の回転子１１内周部が熱膨張しにくくなるため、焼嵌め性が悪化してしまう場合がある。しかしながら、本実施の形態によれば、第２バランスウェイト１３を小型化することができるため、焼嵌め時に回転子１１から第２バランスウェイト１３に奪われる熱量を小さくすることができ、焼嵌め性を改善することができる。さらに、第２バランスウェイト１３を小型化することにより、第２バランスウェイト１３による油攪拌損失を低減することができる。したがって、本実施の形態によれば、スクロール圧縮機１００の性能、特に、高速運転時のスクロール圧縮機１００の性能を向上させることができる。
【００３４】
実施の形態２．
本発明の実施の形態２に係る電動圧縮機について説明する。図４は、本実施の形態における回転子コア３１のカウンターボア部３１ｃを構成する鋼板の平面形状を示す図である。図４では、軸方向において位置が異なる３つの鋼板の平面形状を併せて示している。図４の（ａ）は、第２バランスウェイト１３との間の軸方向における距離が相対的に遠い回転子コア板３５−１を示している。図４の（ｂ）は、第２バランスウェイト１３との間の軸方向における距離が回転子コア板３５−１よりも近い回転子コア板３５−２を示している。図４の（ｃ）は、第２バランスウェイト１３との間の軸方向における距離が回転子コア板３５−２よりもさらに近い回転子コア板３５−３を示している。図４中の下向きの太矢印は、第２バランスウェイト１３に近づく方向を表している。なお、実施の形態１と同一の機能及び作用を有する構成要素については、同一の符号を付してその説明を省略する。
【００３５】
図４に示すように、本実施の形態では、第２バランスウェイト１３に近い回転子コア板ほど、切欠き部３８ａ、３８ｂの大きさが大きくなっている。各回転子コア板のそれぞれの切欠き部３８ａ、３８ｂは、中心軸Ｃを通り第２バランスウェイト１３の遠心力方向に平行な平面に対して対称な形状を有している。これにより、カウンターボア部３１ｃにおける第２バランスウェイト１３の遠心力方向（＋Ｘ方向）への偏心量は、第２バランスウェイト１３との距離が近づくほど大きくなっている。
【００３６】
本実施の形態によれば、カウンターボア部３１ｃにおける第２バランスウェイト１３の遠心力方向への偏心量をより大きくすることができる。これにより、バランスを維持しつつ第２バランスウェイト１３をより小型化及び軽量化することができる。したがって、第２バランスウェイト１３による油攪拌損失をより低減することができるため、スクロール圧縮機１００の性能、特に、高速運転時のスクロール圧縮機１００の性能をより向上させることができる。
【００３７】
その他の実施の形態．
本発明は、上記実施の形態に限らず種々の変形が可能である。
例えば、上記実施の形態では、電動圧縮機としてスクロール圧縮機１００を例に挙げたが、本発明は、スクロール圧縮機以外の電動圧縮機にも適用可能である。
【００３８】
また、上記実施の形態では、回転子コア３１の形状として図３及び図４に示すような形状を例に挙げたが、上記実施の形態の効果が得られれば、回転子コア３１の形状はどのような形状であってもよい。
【００３９】
また、上記の各実施の形態や変形例は、互いに組み合わせて実施することが可能である。
【符号の説明】
【００４０】
１  固定スクロール、１ａ  固定スクロール渦巻、１ｂ  固定スクロール台板、２  揺動スクロール、２ａ  揺動スクロール渦巻、２ｂ  揺動スクロール台板、２ｃ  揺動スクロールスラスト軸受面、２ｄ  ボス部、３  スラストプレート、４、５  オルダムキー溝、６  オルダムリング、６ａ  リング部、６ｂ、６ｃ  オルダムキー、７  センターシェル、８  主軸、８ａ  偏心軸部、９  電源端子、１０  固定子、１１  回転子、１２  第１バランスウェイト、１３  第２バランスウェイト、１４  吸入パイプ、１５  吐出口、１６  吐出パイプ、１７  低圧室、１８  高圧室、１９  フレーム、２０  主軸受、２１  アッパーシェル、２２  ロアシェル、２３  密閉容器、２４  圧縮室、２５、２６  シール、２７  吐出弁、２８  サブフレーム、２９  副軸受、３０  オイルポンプ、３１  回転子コア、３１ａ  コア部、３１ｂ、３１ｃ  カウンターボア部、３２  カウンターボア、３３  リベット、３４  油供給穴、３５、３５−１、３５−２、３５−３  回転子コア板、３６  貫通孔、３７ａ、３７ｂ  焼嵌め部、３８ａ、３８ｂ  切欠き部、１００  スクロール圧縮機、１０１  圧縮機構部、１０２  電動機構部、Ｃ  中心軸。
【図１】
2016120982.tif 000003
【図２】
2016120982.tif 000004
【図３】
2016120982.tif 000005
【図４】
2016120982.tif 000006
【国際調査報告】
2016120982.tif 000007
2016120982.tif 000008
2016120982.tif 000009
2016120982.tif 000010